(57)【要約】  ポータブルコンピューティング装置は、少なくとも軽量材料のベース部分を備え、少なくとも楔形状の頂部ケースは、その界面に形成された谷部を有する。この谷部は、第１の接点面及び受け入れエリアを有する立ち上った部分を含み、そして頂部ケースに底部ケースが結合されて、ポータブルコンピューティング装置の少なくとも一部分に対する完全なハウジングを形成し、そのハウジングは、少なくとも、複数の動作コンポーネント及び複数の構造コンポーネントを包囲する。又、ポータブルコンピューティング装置は、少なくとも、ヒンジアッセンブリによりベース部分に枢着された蓋部分も備えている。ここに述べる実施形態において、その蓋部分は、ベース部分を蓋部分に電気的に接続する１つ以上の電気導体によりベース部分内の複数のコンポーネントの１つ以上と通信するディスプレイを有する。【選択図】図１
2014500990.tif 000002
【特許請求の範囲】
【請求項１】
関連するポータブルコンピューティング装置に使用されるソリッドステートメモリモジュールにおいて、
頂面及び底面を有する基板と、
全ての位置におけるモジュールの全合成厚みが約２．２ｍｍ未満に保たれるように前記基板上に直線的に配置された複数のメモリ装置であって、前記基板の頂面及び底面の両方に沿って配置された複数のメモリ装置と、
前記複数のメモリ装置に基づいて直線的に配置され且つ前記メモリ装置へコントロール信号を与えるように配置されたコントローラと、
前記基板の１つの縁に沿って配置された１組の１８個の接点であって、関連するポータブルコンピューティング装置のマザーボードに結合された各コネクタとインターフェイスされる接点と、
を備え、前記１組の１８個の接点は、個別グループ間に配置された物理的ギャップにより少なくとも２つの個別グループに分割される、ソリッドステートメモリモジュール。
【請求項２】
前記１組の１８個の接点は、次の特定の順序で信号を搬送する、
【表１】
2014500990.tif 000004
請求項１に記載のソリッドステートメモリモジュール。
【請求項３】
第１グループは、厳密に６個の接点を含み、第２グループは、厳密に１２個の接点を含む、請求項１に記載のソリッドステートメモリモジュール。
【請求項４】
前記メモリモジュールは、全長が約１０８から１１０ｍｍの範囲であり、全巾が約２３から２５ｍｍの範囲であり、そして基板の厚みが約０．６から０．８ｍｍの範囲である、請求項１に記載のソリッドステートメモリモジュール。
【請求項５】
前記メモリモジュールは、全長が約１０８．９ｍｍであり、全巾が約２４ｍｍである、請求項４に記載のソリッドステートメモリモジュール。
【請求項６】
前記メモリモジュールは、ポータブルコンピューティング装置にインストールされる、請求項１に記載のソリッドステートメモリモジュール。
【請求項７】
前記ポータブルコンピューティング装置は、ラップトップコンピュータである、請求項１に記載のソリッドステートメモリモジュール。
【請求項８】
軽量の材料で形成されたベース部分であって、その頂部ケースが底部ケースに結合されて、ポータブルコンピューティング装置の少なくとも一部分に対する完全なハウジングを形成し、その完全なハウジングは、少なくとも複数の動作コンポーネント及び複数の構造コンポーネントを包囲するものであるベース部分と、
ヒンジアッセンブリによって前記ベース部分に枢着された蓋部分であって、前記ベース部分内の１つ以上のコンポーネントと通信するディスプレイを有する蓋部分と、
前記蓋部分を前記ベース部分に電気的に結合する１つ以上の電気導体を有するヒンジアッセンブリと、
を備え、このヒンジアッセンブリは、更に、
環状の外部領域及びその環状の外部領域により包囲された中心ボア領域を有する中空クラッチであって、前記中心ボア領域は、前記１つ以上の電気導体の通過を許すと共に、その支持を与えるものである中空クラッチ；
前記ベース部分への前記中空クラッチの結合を促進する第１の固定コンポーネント；及び
前記蓋部分への前記中空クラッチの結合を促進する第２の固定コンポーネントであって、前記第１の固定コンポーネント及び第２の固定コンポーネントの少なくとも一方が、前記中空クラッチと一体的に形成されるようにした第２の固定コンポーネント；
を含み、更に、
前記ベース部分に配置された１つ以上のユーザ入力コンポーネントであって、前記１つ以上のユーザ入力コンポーネントがポータブルコンピューティング装置のユーザに対してある角度で提示されるように前記ベース部分が楔形状を画成するようなユーザ入力コンポーネントと、
基板、該基板上に直線的に配置された複数のメモリ装置、及び前記複数のメモリ装置に基づいて直線的に配置され且つ前記メモリ装置へコントロール信号を与えるように配置されたコントローラを含む、横方向構成の、小Ｚスタックソリッドステートメモリ装置と、
を備えたラップトップコンピュータ。
【請求項９】
前記ソリッドステートメモリ装置は、更に、前記基板の１つの縁に沿って配置された１組の１８個の接点を含み、それらの接点は、ポータブルコンピューティング装置のマザーボードに結合された各コネクタとインターフェイスされ、更に、前記１組の１８個の接点は、次の特定の順序で信号を搬送する、
【表２】
2014500990.tif 000005
請求項８に記載のラップトップコンピュータ。
【請求項１０】
ポータブルコンピューティング装置をアッセンブルする方法において、
底部ケース及び頂部ケースを準備し、底部ケース又は頂部ケースの少なくとも一方が楔形状を画成するようにする段階と、
前記頂部ケースに底部ケースを結合して、ポータブルコンピューティング装置のベース部分に対する完全なハウジングを形成し、前記ベース部分は、少なくとも複数の動作コンポーネント及び複数の構造コンポーネントを包囲し、前記ベース部分は、そこに配置された１つ以上のユーザ入力コンポーネントがポータブルコンピューティング装置のユーザに対してある角度で提示されるように楔形状とされる段階と、
前記ベース部分をヒンジアッセンブリによって蓋部分に枢着し、その蓋部分は、複数のコンポーネントを有し、その少なくとも１つがディスプレイであるような段階と、
前記蓋部分内のコンポーネントの少なくとも幾つかを、前記ヒンジアッセンブリを通して延びる１つ以上の電気導体によって前記ベース部分内の動作コンポーネントに電気的に接続する段階と、
を備えた方法。
【請求項１１】
軽量の材料で形成されたベース部分であって、その頂部ケースが底部ケースに結合されて、ポータブルコンピューティング装置の少なくとも一部分に対する完全なハウジングを形成し、その完全なハウジングは、少なくとも複数の動作コンポーネント及び複数の構造コンポーネントを包囲するものであるベース部分と、
ヒンジアッセンブリによって前記ベース部分に枢着された蓋部分であって、前記ベース部分内の１つ以上のコンポーネントと通信するディスプレイを有する蓋部分と、
前記ベース部分に配置された１つ以上のユーザ入力コンポーネントであって、前記ベース部分は、１つ以上のユーザ入力コンポーネントがポータブルコンピューティング装置のユーザに対してある角度で提示されるように楔形状を画成するようなユーザ入力コンポーネントと、
を備えたポータブルコンピューティング装置。
【請求項１２】
前記１つ以上のユーザ入力コンポーネントは、キーボード、タッチパッド又はその両方を含む、請求項１１に記載のポータブルコンピューティング装置。
【請求項１３】
前記複数の構造コンポーネントは、少なくともバッテリフレームを含み、そのバッテリフレームは、構造材料で形成され、そして複数のバッテリフレーム区画を含む、請求項１に記載のポータブルコンピューティング装置。
【請求項１４】
前記複数のバッテリフレーム区画内に収容された複数のバッテリセルを更に備えた、請求項１３に記載のポータブルコンピューティング装置。
【請求項１５】
前記複数のバッテリセルは、異なるサイズのバッテリセルを含む、請求項１４に記載のポータブルコンピューティング装置。
【請求項１６】
前記複数のバッテリセルは、前記ベース部分内で非対称的に配置される、請求項１４に記載のポータブルコンピューティング装置。
【請求項１７】
前記複数の動作コンポーネントは、横方向構成の小Ｚスタックソリッドステートメモリ装置を含み、そのソリッドステートメモリ装置は、
基板、
前記基板上に直線的に配置された複数のメモリ装置、及び
前記複数のメモリ装置に基づいて直線的に配置されそして前記メモリ装置へコントロール信号を与えるように配置されたコントローラ、
を備えた請求項１１に記載のポータブルコンピューティング装置。
【請求項１８】
前記ソリッドステートメモリ装置は、更に、前記基板の１つの縁に沿って配置された１組の１８個の接点を含み、それらの接点は、ポータブルコンピューティング装置のマザーボードに結合された各コネクタとインターフェイスするようにされる、請求項１７に記載のポータブルコンピューティング装置。
【請求項１９】
前記１組の１８個の接点は、個別グループ間に位置する物理的ギャップにより少なくとも２つの個別グループに分割される、請求項１８に記載のポータブルコンピューティング装置。
【請求項２０】
前記１組の１８個の接点は、次の特定の順序で信号を搬送する、
【表３】
2014500990.tif 000006
請求項１８に記載のポータブルコンピューティング装置。
【発明の詳細な説明】
【技術分野】
【０００１】
本発明は、一般的に、ポータブルコンピューティング装置に関する。より特定すれば、本発明は、ポータブルコンピューティングシステムのエンクロージャー、及びポータブルコンピューティング装置をアッセンブルする方法に関する。
【０００２】
（関連出願の相互参照）
本特許出願は、２０１０年１０月１８日に出願された米国プロビジョナル特許出願第６１／３９４，０３７号、及び２０１０年１０月１９日に出願された米国プロビジョナル特許出願第６１／２７５，７２４号の優先権を主張するものであり、それらは、両方とも、“PORTABLE COMPUTING SYSTEM”と題し、デグナー氏等によるものであり、そして全ての目的で参考としてここにそのまま援用される。又、本出願は、２０１０年９月３０日に出願されたアブラハム氏による“HIGH SPEED CARD CONNECTOR”と題する米国特許出願第１２／８９４，４３７号の優先権も主張し、これも、全ての目的で参考としてここにそのまま援用される。
【０００３】
又、本特許出願は、次の同時係争中の特許出願にも係り、これも、全ての目的で参考としてここにそのまま援用される。
（ｉ）２０１０年３月１日に出願されたマーフィー氏等の“INTEGRATED FRAME BATTERYCELL”と題する米国特許出願第１２／７１４，７３７（ＡＰＬ１Ｐ６２０）；
（ii）２００９年９月２日に出願されたデューク氏による“CENTRIFUGUAL BLOWER WITHNON-UNIFORM BLADE SPACING”と題する米国特許出願第１２／５５２，８５７（ＡＰＬ１Ｐ５９４）；
（iii）２００９年１１月１７日に出願されたデグナー氏等による“HEAT REMOVAL IN COMPACT COMPUTING SYSTEM”と題する米国特許出願第１２／６２０，２９９（ＡＰＬ１Ｐ５９７）；
（iv）２００９年１０月１６日に出願されたラフ氏等による“COMPUTER HOUSING”と題する米国特許出願第１２／５８０，９２２（ＡＰＬ１Ｐ６０１）；及び
（ｖ）２０１０年２月２４日に出願されたニュー氏等による“STACKED METAL AND ELASTOMERIC DOME FOR KEY SWITCH”と題する米国特許出願第１２／７１２，１０２（ＡＰＬ１Ｐ６１９）。それらは、各々、全ての目的で参考としてここにそのまま援用される。
【背景技術】
【０００４】
ポータブルコンピューティングシステムの外観は、そのデザイン及び重量を含めてポータブルコンピューティングシステムのユーザにとって重要である。というのは、外観は、ポータブルコンピューティングシステムについてユーザがもつ全体的な印象に貢献するからである。同時に、ポータブルコンピューティングシステムのアッセンブリも、ユーザにとって重要である。というのは、耐久性のあるアッセンブリは、ポータブルコンピューティングシステムの全体的な寿命を延長し、ユーザにとってのその価値を高める上で助けとなるからである。
【０００５】
ポータブルコンピューティングシステムの製造に関連した１つの設計上の課題は、種々の内部コンピューティングコンポーネントを収容するのに使用される外部エンクロージャーのデザインである。この設計上の課題は、一般的に、他の考えられる目標の中で、外部エンクロージャー又はハウジングを軽量で且つ薄いものにし、エンクロージャーを強いものにし、且つエンクロージャーを審美的に満足なものにするという要望を含む多数の対立する設計目標から生じる。軽量のハウジング又はエンクロージャーは、柔軟性が高くて、潰れたり曲がったりする傾向が高いが、強くて堅牢なエンクロージャーは、分厚いものとなって、より大きな重量を支える傾向がある。不都合なことに、大きな重量は、カッコ悪さ又は携帯のし難さに関してユーザの満足が得られず、一方、曲がることは、内部部品にダメージを及ぼしたり他の故障を招いたりする。更に、見苦しい又は不快であると感じる装置を所有したり使用したりすることを望む消費者は少ない。そのような事柄のために、ポータブルコンピューティングシステムのエンクロージャーの材料は、典型的に、重量の制約を満足しながらも充分な構造的剛性を与えるように選択され、しかも、それらの初期基準を満足する材料に審美的な魅力が加えられる。
【０００６】
従って、ポータブルコンピューティングシステムの外部エンクロージャー又はハウジングは、多くの場合に、重量が低く且つ構造上の剛性が高いという両方の目標を達成するために適当な厚みを有するアルミニウム、スチール、及び他の低廉でありながら頑健な材料で作られている。又、コンピューティング装置のプロセッサ及び他の電気的部品に対して手近な電気的接地及び／又は手近な高周波（ＲＦ）又は電磁干渉（ＥＭＩ）シールドを与えるという観点から、金属エンクロージャーの使用も便利である。というのは、金属エンクロージャー又は外部ハウジングは、そのような機能に対して容易に使用できるからである。
【発明の概要】
【発明が解決しようとする課題】
【０００７】
それ故、審美的に満足で、軽量で且つ耐久性があるポータブルコンピューティングシステムを提供するのが有益である。又、ポータブルコンピューティングシステムをアッセンブルする方法を提供することも有益である。
【課題を解決するための手段】
【０００８】
本出願は、楔型のプロフィールと、それに関連した高速メモリカード及びカードコネクタとを有する軽量で且つ耐久性のあるポータブルコンピューティング装置を形成するシステム及び方法に関する種々の実施形態について述べる。これは、楔型の外部ハウジングと、このハウジング内に適合して動作するように配置される特別設計の内部コンポーネントとを使用することにより、少なくとも一部分達成される。そのようなコンポーネントは、高速メモリカードと、それに関連したカードコネクタとを含み、そのカードコネクタは、短い信号経路を有する接点、及び複数の部分に分割される接地平面を使用する。ここに示す実施形態の１つの態様において、コンピューティング装置は、ラップトップコンピュータの形態をとる。
【０００９】
種々の実施形態において、ポータブルコンピューティング装置は、軽量の材料で形成されたベース部分を備え、その楔型の頂部ケースが底部ケースに結合されて、ポータブルコンピューティング装置の少なくとも一部分に対する完全なハウジングを形成し、その完全なハウジングは、少なくとも、複数の動作コンポーネント及び複数の構造コンポーネントを包囲する。又、ポータブルコンピューティング装置は、ヒンジアッセンブリによりベース部分に枢着された蓋部分も備え、その蓋部分は、ベース部分内の１つ以上のコンポーネントと通信するディスプレイを有する。
【００１０】
ヒンジアッセンブリは、蓋部分をベース部分に電気的に結合する１つ以上の電気導体を有すると共に、環状の外部領域及びその環状の外部領域により包囲された中心ボア領域を有する中空クラッチも備えている。中心ボア領域は、１つ以上の電気導体を通すことができそしてそれを支持する。又、ヒンジアッセンブリは、ベース部分への中空クラッチの結合を容易にする第１の固定コンポーネントと、蓋部分への中空クラッチの結合を容易にする第２の固定コンポーネントも備え、それら第１及び第２の固定コンポーネントの少なくとも１つは、中空クラッチと一体的に形成される。
【００１１】
種々の実施形態において、ラップトップコンピュータであるポータブルコンピューティング装置は、ベース部分に配置された１つ以上のユーザ入力コンポーネントも備え、ベース部分は、１つ以上のユーザ入力コンポーネントがポータブルコンピューティング装置のユーザに対してある角度で提示されるように楔形状を画成する。ユーザ入力は、キーボード、タッチパッド、又はその両方を含む。
【００１２】
種々の実施形態において、ポータブルコンピューティング装置は、横方向に構成された小Ｚスタックソリッドステートメモリ装置又はモジュールを動作コンポーネントの１つとして備えている。ある実施形態では、メモリモジュールは、スタンドアローン装置である。メモリ装置又はモジュールは、基板と、基板上に直線的に配置された複数のメモリ装置と、その複数のメモリ装置に基づいて直線的に配置され且つそのメモリ装置へコントロール信号を与えるように配置されたコントローラとを備えている。このソリッドステートメモリ装置は、基板の１つの縁に沿って位置された１組の１８個の接点を含み、それら接点は、ポータブルコンピューティング装置のマザーボードに結合された各コネクタとインターフェイスされる。
【００１３】
更に別の実施形態において、ポータブルコンピューティング装置をアッセンブルする方法は、底部ケース及び頂部ケースを準備し、底部ケース又は頂部ケースの少なくとも一方は楔形状を画成し、底部ケースを頂部ケースに結合して、ポータブルコンピューティング装置のベース部分に対する完全なハウジングを形成し、ベース部分をヒンジアッセンブリにより蓋部分に枢着し、蓋部分は、複数のコンポーネントを有し、その少なくとも１つはディスプレイであり、そして蓋部分のコンポーネントの少なくとも幾つかを、ヒンジアッセンブルを通して延びる１つ以上の電気導体によってベース部分の動作コンポーネントへ電気的に接続することを含む。
【００１４】
本発明の他の装置、方法、特徴及び効果は、当業者であれば、添付図面及び以下の詳細な説明を検討したときに明らかとなろう。そのような全ての付加的なシステム、方法、特徴及び効果は、本開示の中に含まれ、本発明の範囲内に包含され、そして特許請求の範囲により保護されることが意図される。
【００１５】
添付図面は、例示のためのものであり、ポータブルコンピューティング装置を提供するためのここに開示する装置及び方法の考えられる構造及び構成の例を与えるものに過ぎない。これらの図面は、本発明の精神及び範囲から逸脱せずに、当業者により本発明に対してなされる形態及び細部の変更を何ら制限するものではない。本発明の実施形態は、同じ構造要素が同じ参照番号で示された添付図面を参照してなされた以下の詳細な説明により容易に理解されよう。
【図面の簡単な説明】
【００１６】
【図１】ここに述べる実施形態によるポータブルコンピューティングシステムの代表的な図である。
【図２】ここに述べる実施形態によるポータブルコンピューティングシステムの代表的な図である。
【図３】ここに述べる実施形態によるポータブルコンピューティングシステムの代表的な図である。
【図４】ここに述べる実施形態によるポータブルコンピューティングシステムの代表的な図である。
【図５】ここに述べる実施形態によるポータブルコンピューティングシステムの代表的な図である。
【図６】ここに述べる実施形態によるポータブルコンピューティングシステムの代表的な図である。
【図７】ここに述べる実施形態による底部ケースの外部図である。
【図８】図７に示す底部ケースの内部図である。
【図９ａ】ここに述べる実施形態によりキーボード及びタッチパッドを収容するのに使用される種々の開口を示す頂部ケースの外部図である。
【図９ｂ】ここに述べる実施形態によりキーボード及びタッチパッドを収容するのに使用される種々の開口を示す頂部ケースの外部図である。
【図１０ａ】ここに述べる実施形態による頂部ケース及び特徴部プレートアッセンブリを示す。
【図１０ｂ】ここに述べる実施形態による頂部ケース及び特徴部プレートアッセンブリを示す。
【図１０ｃ】ここに述べる実施形態による頂部ケース及び特徴部プレートアッセンブリを示す。
【図１１ａ】ここに述べる実施形態によるポータブルコンピューティング装置の頂部ケース及び底部ケースを固定するのに使用できる不正防止固定具の実施形態を示す。
【図１１ｂ】ここに述べる実施形態によるポータブルコンピューティング装置の頂部ケース及び底部ケースを固定するのに使用できる不正防止固定具の実施形態を示す。
【図１２】ここに述べる実施形態による種々の内部コンポーネント及び構造を露呈するために底部ケース及びバッテリが取り出されたポータブルコンピューティングシステムを示す。
【図１３ａ】ここに述べる実施形態による代表的なコンパクトサーマルモジュールを示す。
【図１３ｂ】ここに述べる実施形態による代表的なコンパクトサーマルモジュールを示す。
【図１３ｃ】ここに述べる実施形態による代表的なコンパクトサーマルモジュールを示す。
【図１３ｄ】ここに述べる実施形態による代表的なコンパクトサーマルモジュールを示す。
【図１４ａ】ここに述べる実施形態によるアンチアンギュレーション装置を伴うボード対ボードコネクタを示す。
【図１４ｂ】ここに述べる実施形態によるアンチアンギュレーション装置を伴うボード対ボードコネクタを示す。
【図１５】ここに述べる実施形態による良好なケーブルドレスを促進する上で助けとなるように使用される開口を示す。
【図１６】ここに述べる実施形態による種々のキーボード及びタッチパッド処理コンポーネントを含むキーボード／トラックパッド回路の領域の拡大図である。
【図１７ａ】ここに述べる実施形態によるケーブルの固定に使用されるケーブルストラップを示す。
【図１７ｂ】ここに述べる実施形態によるケーブルの固定に使用されるケーブルストラップを示す。
【図１８】図１７ａのケーブルストラップにより固定される代表的なケーブルを示す。
【図１９】ここに述べる実施形態によるバッテリアッセンブリの分解図である。
【図２０】ここに述べる実施形態によるフレーム型バッテリ配列体の特定の鏡像構成を示す。
【図２１ａ】ここに述べる実施形態によるＳＳＤメモリモジュールの斜視図である。
【図２１ｂ】ここに述べる実施形態によるＳＳＤメモリモジュールの側面図である。
【図２１ｃ】ここに述べる実施形態によるＳＳＤメモリモジュールの底面図である。
【図２１ｄ】ここに述べる実施形態によるＳＳＤメモリモジュールの頂面図である。
【図２２ａ】ここに述べる実施形態によるメモリチップを両面に有する別のＳＳＤメモリモジュールの側面図である。
【図２２ｂ】ここに述べる実施形態によるＳＳＤメモリモジュールの接点の拡大図である。
【図２３】ここに述べる実施形態によるコネクタの上部斜視図である。
【図２４】ここに述べる実施形態によるコネクタの下部斜視図である。
【図２５】ここに述べる実施形態によるコネクタに挿入されたドーターカード又は任意のカードを示す。
【図２６】ここに述べる実施形態によるコネクタの上面図である。
【図２７】ここに述べる実施形態によるコネクタリセプタクルの断面図である。
【図２８】ここに述べる実施形態によるコネクタの頂部の一部を詳細に示す。
【図２９】ここに述べる実施形態によるコネクタの正面図である。
【図３０】ここに述べる実施形態によるコネクタの側面図である。
【図３１】ここに述べる実施形態によるコネクタの側面の詳細図である。
【図３２】ここに述べる実施形態によるコネクタの底面図である。
【図３３】ここに述べる実施形態によるプロセスを詳細に示すフローチャートである。
【発明を実施するための形態】
【００１７】
本発明による装置及び方法の規範的な応用例をここに説明する。これらの例は、単に、背景を付加し、本発明の理解を助けるためのものである。従って、当業者であれば、これらの特定の細部の幾つか又は全部がなくても本発明を実施できることが明らかであろう。他の例では、本発明を不必要に不明瞭にしないため、良く知られたプロセスステップは、詳細に説明しない。他の応用例も考えられ、以下の例に限定されない。
【００１８】
以下の説明は、ラップトップコンピュータ、ネットブックコンピュータ、タブレットコンピュータ、等のポータブルコンピューティングシステムに関する。ポータブルコンピューティングシステムは、ベース部分を形成するように抱き部(reveal)で接合される頂部ケース及び底部ケースを有する多部分ハウジングを備えている。又、ポータブルコンピューティングシステムは、ディスプレイスクリーン及び他の関連コンポーネントを収容できる上部（又は蓋）を有し、一方、ベース部分は、種々のプロセッサ、ドライバ、ポート、バッテリ、キーボード、タッチパッド、等を収容する。ベース部分は、頂部及び底部の外部ハウジングコンポーネントを含む多部分ハウジングで形成され、その各々は、界面領域において特定の仕方で形成され、それらの外部ハウジングコンポーネント間のギャップ及びオフセットは、装置の大量生産中に、減少されるだけでなく、装置ごとにより一貫したものとなるようにされる。これらの一般的な目的は、以下に詳細に説明する。
【００１９】
特定実施形態において、蓋及びベース部分は、中空のクラッチアッセンブリと称されるものにより、互いに枢着される。中空のクラッチアッセンブリは、ベース部分を蓋に枢着するように構成される。中空のクラッチアッセンブリは、少なくとも、環状の外部領域を含む中空円筒部分と、その環状の外部領域により取り巻かれた中央ボア領域とを含み、その中央ボアは、ベース部分と蓋の電気的コンポーネントとの間の電気導体のための支持体をなすように適当に構成される。又、中空のクラッチアッセンブリは、ポータブルコンピューティングシステムのベース部分及び蓋に中空クラッチを結合する複数の固定領域も含み、それら固定領域の少なくとも１つは、スペース、サイズ及び部品点数が最小となるように、中空円筒部分と一体的に形成される。
【００２０】
多部分ハウジングは、強力で耐久性がありしかも軽量の材料で形成される。そのような材料は、複合材料及び／又はアルミニウムのような金属を含む。アルミニウムは、多部分ハウジングにとって良い選択肢となる多数の特性を有する。例えば、アルミニウムは、良好な電気的接地を与える良好な電気導体であると共に、加工が容易で且つ良く知られた冶金学的特性を有する。更に、アルミニウムは、強い反応性がなく且つ非磁性であり、これは、ポータブルコンピューティングシステムがＷｉＦｉ、ＡＭ／ＦＭ、等のＲＦ能力を有する場合の本質的な要件である。多部分ハウジングを保護し且つ審美的に魅力のある仕上げを与えるため（両方とも視覚的及び触覚的）、多部分ハウジングの外面に保護層を配置し又は形成することができる。保護層は、ハウジングの審美的魅力を向上させ、且つポータブルコンピューティングシステムの外観を保護する仕方で適用することができる。１つの実施形態において、多部分ハウジングがアルミニウムで形成されるときに、少なくともアルミニウムの外面をアノード処理して、保護層を形成することができる。
【００２１】
頂部ケースは、アッセンブル作業中に複数の動作コンポーネントを挿入できるところの空洞又は内腔を含む。ここに述べる実施形態では、最も上のコンポーネントを最初に挿入した後に上から下への配列でコンポーネントを挿入する「頂部−底部」アッセンブリ作業において、動作コンポーネントを内腔に挿入して頂部ケースに取り付けることができる。例えば、頂部ケースを設けて、キーボードモジュールを収容するように整形することができる。キーボードモジュールは、複数のキーキャップアッセンブリ及び関連回路で形成されたキーボードアッセンブリ、例えば、スイッチングマトリクスを合体できる柔軟なメンブレーンを含む。１つの実施形態では、キーキャップアッセンブリは、参考としてここにそのまま援用するニウ氏等の“STACKED METAL AND ELASTOMERIC DOME FOR KEY SWITCH”と題する米国特許出願第１２／７１２，１０２号に述べられたような低背型キーキャップの形態をとることができる。
【００２２】
１つの実施形態において、キーキャップアッセンブリは、電源スイッチに置き換わるように使用することができる。例えば、従来のキーボードにおいて、最も上の行のキーキャップの各々に少なくとも１つの機能を指定することができる。しかしながら、キーキャップの１つを電源ボタンとして再配備することにより、少なくとも従来の電源ボタンに関連したスイッチメカニズムを排除して、既に利用できるキーキャップアッセンブリ及び関連回路に置き換えることで、動作コンポーネントの数を減少することができる。
【００２３】
キーボードに加えて、ポータブルコンピューティングシステムは、タッチパッド、タッチスクリーン、等の線に沿ってタッチ感知装置を備えている。ポータブルコンピューティング装置がタッチパッドを備えた実施形態では、タッチパッドは、ガラス材料で形成される。ガラス材料は、化粧面をなし、タッチパッドのための構造上の剛性の主要源である。このように、ガラス材料を使用することで、従来の設計に比してタッチパッドの全体的な厚みが著しく減少される。タッチパッドは、タッチパッドに関連したセンサ及びキーボードに関連したキーボードメンブレーンの両方からの信号を処理するための回路を備えることができる。従って、キーボードメンブレーンからの信号を処理するのに従来使用された個別の回路が排除される。
【００２４】
タッチパッドは、シールメカニズムでカバーされたタッチパッドの操作を検出するドームスイッチを含む。ドームスイッチは、電気的スイッチを含む。シールメカニズムは、埃や水分の侵入から電気的スイッチを保護し、従って、電気的スイッチの健全さを改善することができる。シールメカニズムは、圧縮時にドームスイッチが膨張するところの膨張ギャップを含むことができる。操作中に、膨張ギャップを使用することで、ドームスイッチに関連した力のフィードバック応答、及びタッチパッドの全体的な審美的感覚が改善される。
【００２５】
頂部ケース及び底部ケースの少なくとも一方がアルミニウムのような導電性材料で形成される実施形態では、良好な電気的接地平面又は電気的接地を与えることができる。良好な接地平面を与える能力は、ポータブルコンピューティングシステムでは動作コンポーネントが互いに密接に接近するので特に好都合である。この密接な接近のため、著しいＲＦ放射源（メインロジックボード又はＭＬＢのような）を、ＲＦ障害に敏感なワイヤレス回路のような回路から分離することが望ましい。このように、少なくとも導電性頂部ケース及び／又は底部ケースを使用して良好なシャーシ接地を与え、次いで、これを使用して、ＲＦエネルギーを発生する回路を、ＲＦエネルギーに敏感なコンポーネントから電磁的に分離することができる。更に、頂部及び底部の両ケースを導電性材料で形成することにより、頂部ケース及び底部ケースを接合して、ポータブルコンピューティングシステムにより発生されるＥＭＩから外部環境を効果的にシールドできるファラディ籠(Faraday cage)として働くベース部分を形成することができる。ベース部分のファラディ籠のような属性は、ＲＦに敏感なコンポーネントを、外部で発生したＥＭＩから保護することもできる。
【００２６】
ユーザに満足な審美性を与えるために、ポータブルコンピューティングシステムの形状は、目や接触に対して満足なプロフィールをもつことができる。ここに述べる実施形態では、多部分ハウジングが楔形状をもつことができる。楔形状とは、ポータブルコンピューティングシステムの底面がテーブル又はデスクのようなフラットな支持面に載せられたとき、楔状ハウジング（特に、多部分ハウジングの楔状の上部）により与えられる角度が、使い易いキーボード配置及びタッチパッドを提供できるというものである。角度がほとんど又は全くない均一形状のハウジングを有するラップトップコンピュータのような従来のポータブルコンピューティングシステムとは対照的に、ポータブルコンピューティングシステムの楔形状は、ユーザの指とより自然に整列するタッチパッド面及びキーキャップを与えることによりユーザとタッチパッド及びキーボードとの相互作用を改善することができる。このような人間工学的な改善は、ユーザの手首に課せられる応力及び歪の量を減少する上で助けとなる。
【００２７】
少なくとも、多部分ハウジングを形成するのに使用される材料の強力で且つ弾力性のある性質のために、多部分ハウジングは、付加的な支持構造体を必要としない広いスパンの多数の開口を含むことができる。そのような開口は、内部回路へのアクセスを与えるのに使用できるポートの形態をとる。ポートは、例えば、外部回路を接続するケーブル（ＵＳＢ、イーサネット（登録商標）、ＦｉｒｅＷｉｒｅ、等）を収容するのに適したデータポートを含む。又、開口は、オーディオ回路、ビデオディスプレイ回路、電源入力、等へのアクセスも与えることができる。
【００２８】
これら及び他の実施形態は、図１ないし３３を参照して以下に述べる。しかしながら、当業者であれば、これらの図面を参照して述べる詳細な説明は、単なる例示に過ぎず、本発明は、これらの限定された実施形態を越えて拡張し得ることが容易に明らかであろう。
【００２９】
ポータブルコンピューティング装置
図１ないし６は、ここに述べる実施形態によるポータブルコンピューティングシステム１００を示す図である。図１は、オープン（蓋）状態にあるポータブルコンピューティングシステム１００の前面斜視図であり、図２は、クローズ（蓋）状態にあるポータブルコンピューティングシステム１００を示す。ポータブルコンピューティングシステム１００は、頂部ケース１０６に固定された底部ケース１０４で形成されたベース部分１０２を備えている。ベース部分１０２は、化粧壁１１１により視界から隠れた中空クラッチアッセンブリ１１０により蓋部分１０８に枢着される。ベース部分１０２は、全体的に楔型であって、その第１の端が中空クラッチアッセンブリ１１０を収容するサイズにされている。ベース部分１０２は、ユーザが例えば指で蓋部分１０８を持ち上げるのを助けるのに適したインセット部分１１２を収容するように構成されたより狭い構成の端へとテーパー付けされる。ここに述べる実施形態では、ベース部分１０２の全体的に楔型の見掛けは、頂部ケース１０６の全体的な楔形状によって作られる。或いは又、楔型の底部ケースが同様の結果を与えることもできる。頂部ケース１０６は、キーボード１１４及びタッチパッド１１６のような種々のユーザ入力装置を収容するように構成される。キーボード１１４は、関連キーパッド１１８を各々有する複数の低背型キーキャップアッセンブリを含む。
【００３０】
複数のキーパッド１１８の各々には、特定のキーパッドに関連したキー入力を識別するために記号が刻印されている。キーボード１１４は、キーストロークと称される指運動を使用して各キーパッドで個別の入力を受け取るように構成される。ここに述べる実施形態では、各キーパッドの記号は、ポータブルコンピューティングシステム１００の寿命にわたりキーストロークを常に与える状態のもとでも薄れない非常に綺麗で耐久性のある刻印を形成するようにレーザーエッチングされる。タッチパッド１１６は、ユーザの指のジェスチャーを受けるように構成される。指のジェスチャーは、２本以上の指を一緒に当てることからのタッチ事象を含む。又、ジェスチャーは、スワイプ又はタップのような１本指のタッチ事象も含む。コンポーネントの数を減少するために、キーキャップアッセンブリは、電源ボタンとして再準備することができる。例えば、キーパッド１１８−１は、電源ボタン１１８−１として使用することができる。このように、ポータブルコンピューティングシステム１００における全コンポーネント数を比例的に減少することができる。
【００３１】
蓋部分１０８は、ディスプレイ１２０及び後部カバー１２２（図２により明確に示す）を備え、後部カバーは、蓋部分１０８に化粧仕上げを付加すると共に、少なくともディスプレイ１２０に対する構造上の支持も与える。ここに述べる実施形態では、蓋部分１０８は、ディスプレイ１２０を取り巻くベゼル１２４を含む。蓋部分１０８は、中空のクラッチアッセンブリ１１０の助けで閉じた位置から移動して、オープン位置に保持し、そして再び戻すことができる。ディスプレイ１２０は、グラフィックユーザインターフェイスのような視覚的コンテンツ、写真のようなスチール画像、及び映画のようなビデオメディアアイテムを表示することができる。ディスプレイ１２０は、液晶ディスプレイ（ＬＣＤ）、ＯＬＥＤ、等の適当な技術を使用して画像を表示することができる。又、ポータブルコンピューティングシステム１００は、ベゼル１２４に配置された画像捕獲装置１２６も備えている。この画像捕獲装置１２６は、スチール画像及びビデオ画像の両方を捕獲するように構成される。ディスプレイトリム（又はベゼル）１２４は、蓋部分１０８内にあって後部カバー１２２に取り付けられた構造コンポーネント（図示せず）によって支持することができる。ディスプレイトリム１２４は、動作及び構造コンポーネントを隠すと共に、ディスプレイ１２０のアクティブなエリアに注意を集中させることにより、ディスプレイ１２０の全体的な見掛けを向上させる。データポート１２８及び１３０は、外部回路（１つ又は複数）とポータブルコンピューティングシステム１００との間にデータ及び／又は電力を転送するのに使用される。蓋部分１０８は、蓋部分１０８に付加的な強度及び弾力性を与えるユニボディ構造をもつように形成され、これは、開閉を繰り返すことにより生じる応力のために特に重要である。強度及び弾力性の増加に加えて、蓋部分１０８のユニボディ構造は、個別の支持特徴部を排除することにより全体的な部品数を減少することができる。
【００３２】
ポータブルコンピューティングシステム１００の側面図である図３−６を参照する。より詳細には、図３は、ポータブルコンピューティングシステム１００の背面図で、中空のクラッチアッセンブリ１１０を隠すために使用される化粧特徴部１１１と、ポータブルコンピューティングシステム１００を支持するために使用できる少なくとも２つの支持脚１３２とを示している。支持脚１３２は、プラスチックのような耐摩耗・弾力性材料で形成することができる。図４は、ポータブルコンピューティングシステム１００の代表的正面図で、頂部ケース１０６と蓋部分１０８との間のインサート１１２の相対的位置を示す。ポータブルコンピューティングシステム１００の代表的側面図である図５は、種々のデータ及び電力ポートを収容するのに使用できる開口を有する頂部ケース１０６の左側壁１３４を示す。例えば、左側壁１３４に形成された開口１３６は、イーサネット（登録商標）ケーブルを収容するのに使用でき、一方、開口１３８は、ＭａｇｓａｆｅTMリセプタクル１４０を収容するのに使用できる。開口１３８は、一部分は、適当に構成された電力プラグをリセプタクル１４０に対して容易に整列させることのできる比較的大きなプラットホーム１４２又はメサのために、リセプタクル１４０を収容するための高いアスペクト比をもたねばならないことに注意されたい。ここに述べる特定の実施形態では、オーディオリセプタクル１４４及びサイドファイアリング(side firing)マイクロホン１４６を側壁１３４に配置することができる。図６に示すように、頂部ケース１０６の右側壁１４８は、各々、ＤｉｓｐｌａｙＰｏｒｔTMタイプビデオポートのようなビデオポートの形態をとるデータポート１２８（ＵＳＢデータポートのような）及び１３０を収容するのに使用される開口１５０及び１５２を含むことができる。
【００３３】
図７は、底部ケース１０４を外部から見た図で、支持脚１３２、インサート１１２、中空クラッチアッセンブリ１１０の外部、及び底部ケース１０４と頂部ケース１０６を一緒に固定するのに使用される固定具１５４の相対的位置を示している。ここに述べる特定の実施形態において、固定具１５４は、以下に詳細に述べる不正防止固定具の形態をとることができる。図８は、底部ケース１０４の内部図で、固定具１５４を収容するのに使用される開口１５６を示す。更に、固定具１５８は、装置脚１３２を底部ケース１０４に固定するのに使用される。スタンドオフ１６０は、底部ケース１０４を頂部ケース１０６に取り付けるときに底部ケース１０４の支持を与えるのに使用できる。
【００３４】
図９ａ及び９ｂは、頂部ケース１０６の代表的な実施形態を示す。例えば、図９ａは、頂部ケース１０６を外部から見た図で、キーボード１１４及びタッチパッド１１６を収容するのに使用される種々の開口を示す。より詳細には、開口１６０は、各々、特定のキーキャップアッセンブリに基づくサイズ及び形状を有する。例えば、開口１６０−１は、電源ボタン１１８−１を収容するサイズとされ、開口１６０−２は、スペースバーを収容するサイズとされる。開口１６０に加えて、開口１６２は、タッチパッド１１６を支持することができる。例えば、開口１６２は、タッチパッド１１６を頂部ケース１０６に固定するのに使用される取り付け特徴部１６４を含む。更に、頂部ケース１０６の内部を示す図９ｂに見られるように、タッチパッド１１６及びキーボード１１４の両方を固定するのに使用できる多数の付加的な取り付け特徴部を見ることができる。特定の実施形態において、キーボード１１４及びタッチパッド１１６は、少なくとも、全コンポーネント数を減少できる回路を共有することができる。更に、ノッチ１６６を中空のクラッチアッセンブリ１１０に関連して使用して、より統合され且つ一体化された見掛けをポータブルコンピューティングシステム１００に与えることができる。取り付け特徴部１６８は、開口１５６と共に使用されて、適当な固定具の使用で底部ケース１０４と頂部ケース１０６を固定することができる。
【００３５】
図１０ａないし１０ｃは、頂部ケース及び特徴部プレートアッセンブリ１８０を示す。図１０ａは、全アッセンブリ１８０を前面斜視図で示しており、図１０ｂは、アッセンブリのコーナーの拡大図である。図１０ｂに示すように、特徴部プレート１８４は、多数のリベット１８４により頂部ケース１０６に固定される。容易に明らかなように、特徴部プレート１８４と頂部ケース１０６との間には、多数のコンポーネントを配置することができる。図１０ｃは、特徴部プレートアッセンブリ１８０の１つのリベット位置の部分断面図であり、リベット止めは、複合ビーム形式で行われる。例えば、薄いスチールプレートである特徴部プレート１８４は、位置１８８において、種々のキーキャップ（図示せず）間に置かれたアルミニウム帯紐１８６にリベット止めすることができる。帯紐１８６は、次いで、頂部ケース１０６に結合されるか、又はある実施形態では、頂部ケースと一体的に形成することができる。位置１８８は、特徴部プレート１８２の接近配置位置を通して進むリベットを収容するサイズ及び形状とされるのが好ましい。
【００３６】
多数のリベット１８４により特徴部プレート１８２を頂部ケース１０６にリベット止めして種々の内部コンポーネントを包囲することにより多数の効果を実現することができる。例えば、頂部ケース１０６及びスチール特徴部プレート１８２を組み合わせることで、有効なＥＭＩシールドを形成することができ、ある実施形態では、ファラディ籠形式のシールドを形成することもできる。このＥＭＩシールド効果は、リベットにより一緒に保持される多数の固定点を使用することで向上され、これは、キーボードの内部コンポーネントを、スクリュー又はボルト形式の構成のように僅かな固定点しか使用されないときより良好にシールする傾向となる。このＥＭＩシールドは、キーボードを、ＥＭＩの意味で、コンピューティング装置における種々の他のコンポーネント、例えば、キーボードの真下に位置するプロセッサ又は装置のアンテナから効果的に分離する。
【００３７】
別の利益として、スクリュー、ボルト、等の他の形式の固定用コンポーネントではなくリベットを使用することで、コンポーネントの強力な固定に作用するために頂部ケース１０６又はアルミニウム帯紐１８６を通して固定用コンポーネントを延ばす必要がなくなる。これは、頂部ケースの外側又はアルミニウム帯紐に滑らかで途切れのない表面が望まれる場合に効果的である。又、これは、上述したように、ある場合に、リベット止めされるコンポーネントの前面側にアクセスする必要がないという点で、製造リベット止めプロセスが同様のスクリュー止め又はボルト止めプロセスより著しく高速であるという点でも、効果的である。スクリューではなくリベットを使用することにより実現できる別の利益は、特に、スペースを要するネジ切りされた構造物又はコンポーネントを収容する必要がもはやないので、アッセンブリ全体を薄くできることである。
【００３８】
スクリュー又はボルトではなくリベットを使用することで、非常に多数の固定用コンポーネント（即ち、リベット）の必要性が生じる傾向となるが、各リベット位置は、同様のアッセンブリにおける各スクリューの位置より弱くなる傾向があるので、これは、強度増加のための複合ビーム型リベット止め構成、及び迅速なリベット止めプロセスを使用して、リベット止めされるアッセンブリの片側に滑らかで途切れのない前面の利益を得ることにより、対抗される。スクリューではなくてリベットを使用することで、製造プロセスが簡単になり、これは、コストを節減し、高速であり、且つより多くの固定点を使用できるようになり、ひいては、より確実に一緒に固定されるコンポーネントをより完全なものにする。一緒にリベット止めされた頂部ケース、キーボード及び特徴部プレートアッセンブリの全体的な印象も、スクリューではなくリベットを使用することで改善される。というのは、コンポーネントの結合が、全体的なアッセンブリとして、より硬く、より安定で、且つより強く接着される傾向となるからである。
【００３９】
図１１ａは、底部ケース１０４及び頂部ケース１０６を固定するのに使用できる不正防止固定具１７０の形態の固定具１５４の実施形態を示す。ここに述べる実施形態では、不正防止固定具１７０は、整形くぼみ１７４を含む頭部１７２を有するように形成される。くぼみ１７４の数及び形状は、広く変化し得る。このように、挿入又は除去のために不正防止固定具１７０に係合できる唯一の許可されたメカニズムは、図１１ｂに示すドライバ１７６である。ドライバ１７６は、整形くぼみ１７４に対応するように整形されたドライバ部分１７８を含む。図１１ａ及び１１ｂに示す特定の具現化において、不正防止固定具１７０は、５つの整形くぼみ１７４（ローブ(lobe)とも称される）を含み、不正防止固定具１７０は、ペンタローブ(pentalobe)固定具１７０とも称される。それ故、ペンタローブ固定具１７０に適切に係合するために、ドライバ１７６のドライバ部分１７８は、ペンタローブ１７４に適合する形状をもたねばならない。換言すれば、ドライバ部分１７８は、ペンタローブ１７４の形状及びサイズに一致する形状及びサイズとされねばならない。従って、許可されたペンタローブ１７６にアクセスできる個人だけがペンタローブ固定具１７０に適切に係合することができる。このように、適切でない形状のドライバの使用は、ペンタローブ固定具１７０にダメージが生じ易いことによって容易に検出することができる。
【００４０】
図１２は、種々の内部コンポーネント及び構造を露呈するために底部ケース１０４及びバッテリが取り出されたポータブルコンピューティングシステム１００を示す。例えば、ファンアッセンブリ６０２は、熱伝達モジュール６０４により発生された廃熱を排気するのに使用される。熱伝達又はサーマルモジュール６０４は、ステージ６０３及び６０５を備えている。これらステージ６０３及び６０５は、熱パイプ６０６を、各々、中央処理ユニット（ＣＰＵ）及びグラフィックコントローラ（ＧＰＵ）のような発熱コンポーネントに熱的及び機械的に結合することができる。ここに示す実施形態では、廃熱が熱パイプ６０６の冷却材（水のような）へ伝達されそしてフィンスタック６０８へ搬送される。ファンアッセンブリ６０２は、次いで、比較的冷たい空気をフィンスタック６０８に強制的に通して、熱パイプ６０６の冷却材からその冷たい空気へ熱を伝達させ、次いで、その空気を後部通気口６０７により排気することができる。
【００４１】
図１３ａ−１３ｄは、ここに述べる実施形態によるサーマルモジュール６０４の具現化を更に詳細に示す図である。サーマルモジュール６０４は、集積回路ＣＰＵ及びＧＰＵの頂部に各々接触できるスプリングステージ６０３及びスプリングステージ６０５を備えている。スプリングステージ６０３及び６０５は、実質的に均一な厚みを有し、そしてステージ並びにビーム及びスプリングとして働く。ステージ６０３及び６０５は、ＣＰＵ及びＧＰＵと熱パイプ６０６との間に効率的なサーマル熱伝達路を与えることができる。サーマルモジュール６０４は、低Ｚスタックを有し、それ故、コンパクトなコンピューティングシステムに良く適している。効率的なサーマル経路を与えるため、ステージ６０３及び６０４は、熱及び機械的特性の優れた材料で形成することができる。優れたサーマル特性は、ＣＰＵ及びＧＰＵから熱パイプ６０６への熱の伝達を促進することができる。優れた機械的特性は、ステージ６０３及び６０５とＣＰＵ及びＧＰＵとの間に各々良好な機械的結合を保証することができる。より詳細には、良好な機械的／熱的界面を形成するに充分な圧力を加えることで、サーマルモジュール６０４の全体的な熱伝達特性を実質的に改善することができる。
【００４２】
図１２に戻ると、頂部ケース１０６の内面にオーディオ回路６１６及び６１８を取り付けることができ、これらは、１つの実施形態において、キーボード１４によりポータブルコンピューティング装置１００からオーディオを搬送することができる。タッチパッド／キーボード回路６２０が可撓線６２２によりＭＬＢ６１２に接続される。アンテナケーブル６２４は、ケーブルタイ６２６を使用して頂部ケース１０６に固定され、一方、開口６２８及び６３０（以下、ハンマーヘッド開口と称される）は、各々、ケーブル６３２及び６３４を引き回す上で助けとなる。ボード対ボードコネクタ６３８は、ボード対ボードコネクタ６３８上のピンがそれに対応する開口に挿入されたときにピン対ピンの短絡を防止するための安定器を含む。
【００４３】
例えば、図１４ａ及び１４ｂに示すように、ボード対ボードコネクタ６３８は、コネクタ６５４の対応開口６５２に嵌合対として挿入できる多数のピン６５０を有する。ピン６５０が開口６５２へ挿入されるときに角度的な変位を防止するために、プラスチックフレーム６５６を設けることができる。このプラスチックフレーム６５６は、角度的な不整列を防止することができる。より詳細には、プラスチックフレーム６５６の各端におけるプラウド特徴部６５８が、コネクタ６５４の対応スロット６６０に入れられて、コネクタ６３８に本質的に半ピストンを生成し、ピン６５０を挿入の前に開口６５２に適切に整列させる。このように、プラスチックフレーム６５６を既存のコンポーネントに結合することにより、潜在的にダメージを及ぼす事象を防止することができる。
【００４４】
図１５は、ケーブル６３２及び６３４を引き回すのに使用される開口６２８及び６３０の特定の具現化を示す。開口６２８及び６３０は、ケーブルをアッセンブルすると共に、部品を追加せずに適切な空間的配置及び保持を保証する決定論的な方法を与える。ここに述べる実施形態では、開口６２８及び６３０は、ケーブル６３２及び６３４を収容するためにハンマーヘッドに類似した形状とされる。しかしながら、任意の適当な形状でもよいことに注意されたい。このように、コンポーネントの追加に依存せずに、ケーブルのケーブルドレス（即ち、効率的レイアウト及び審美的な見掛け）を向上させることができる。例えば、ＭＬＢ６１２の開口６２８及び６３０は、不必要なケーブル引き回しを減少してアッセンブルの時間及び費用の両方を減少する上で助けとなる良好に画成された経路をケーブル配置に対して設けることによりケーブル引き回しを助成することができる。
【００４５】
図１６は、種々のキーボード及びタッチパッド処理コンポーネントを含むＩＰＤ回路６４０の領域７００の拡大図である。処理コンポーネントは、キーボードに関連したメンブレーンのようなセンサの作動、及びタッチパッドの頂面上の１つ以上の物体、例えば、ユーザの１本以上の指の先端の位置及び／又は位置の変化を検出するように構成できるドームスイッチのようなタッチパッド１１６に関連した１つ以上のセンサの作動、から発生される信号を受信するように構成される。１つの実施形態において、センサは、ＰＥＴ材料から形成することができる。又、処理コンポーネントは、キーボードにおいて受信されたユーザ入力から発生された信号、例えば、キーボードに関連したメンブレーンセンサの作動により発生された信号、を通信するように構成されたキーボードコネクタを受け入れるように構成されたキーボードインターフェイスを含むこともできる。処理後に、タッチパッド及び／又はキーボードからの信号は、可撓線６２２によりメインロジックボードＭＬＢ６１２へ送信される。
【００４６】
図１７ａ及び１７ｂは、図１８に示すアンテナケーブル６２４のようなケーブルを固定するのに使用される代表的なケーブルストラップ６２６を示す。特に、あるケーブルは、それらのサイズ及び耐曲げ性のために引き回すのが困難であるので、それら形式のケーブルに対して良好なケーブルドレスを設けることは、特に、ポータブルコンピューティングシステム１００に利用できる小さなワークエリアでは、困難であると共に時間もかかる。それ故、ケーブルストラップ６２６は、アンテナケーブル６２４のようなケーブルを迅速にルーティングしそして固定するための容易で且つ効率的なメカニズムをなすことができる。ケーブルストラップは、特定のケーブル及び位置に適した多数の形態をとることができる。例えば、図１７ａは、アンテナケーブル６２４を引き回して固定するのに使用できるベース部分６２６及び「舌状」部分６２７を有するケーブルストラップ６２６（図１２に示す）の形態のケーブルストラップの特定の具現化を示す。図１８に示すように、アンテナケーブル６２４を固定するため、ケーブルストラップ６２６のベース部分６２６は、頂部ケース１０６及びアンテナケーブル６２４に最初に取り付けられる。ベー部分６２６が頂部ケース１０６にしっかりと取り付けられてアンテナケーブル６２４を固定する状態で、ケーブルストラップ６２６の本体部分６２７がアンテナケーブル６２４の周りに巻き付けられて、舌状部６２７ｃが、例えば、接着剤を使用して頂部ケース１０６に固定されるようにする。このように、アンテナケーブル６２４は、良好なケーブルドレスを生じる全体的に整った清潔な見掛けに適した簡単且つ効率的な動作で容易に引き回して固定することができる。図１７ｂは、ケーブルストラップ６２６の別の実施形態を示す。
【００４７】
図１９は、ここに述べる実施形態によるバッテリアッセンブリ８００の分解図である。バッテリアッセンブリ８００は、図２０に詳細に示すフレームで包囲された多数の非対称的配列の個々のバッテリセル８０２を含むもので、参考としてここにそのまま援用される“INTEGRATED FRAME BATTERY CELL”と題する米国特許出願第１２／７１４，７３７号に詳細に述べられたものである。バッテリセル８００は、鏡像配列で構成される。例えば、側部８０４のバッテリセル８０２ａ、８０２ｂ及び８０２ｃは、バッテリアッセンブリ８００の側部８０６に鏡像配列で配置された対応するバッテリセル８０２ａ、８０２ｂ及び８０２ｃを有する。ここに述べる実施形態では、バッテリセル８０２ａは、８０２ｂ又は８０２ｃとは異なる特性を有し、そしてその逆のことも言える。バッテリ８００は、分散型バッテリ管理ユニット（ＢＭＵ）を有するか、又は図１９に示すように、個別のＢＭＵを有する。いずれにせよ、バッテリセル８０２のサイズ及び特性を変えることで、バッテリ８００は、ポータブルコンピューティング装置１００の全体的サイズ及び形状に合致する低Ｚスタックを有するように配列される。
【００４８】
高速メモリカード及びコネクタ
図１２に戻ると、メモリ装置６１０は、システムメインメモリとしてデータを記憶するように使用される。メモリ装置６１０は、高速メモリカードであり、例えば、メインロジックボード又はＭＬＢ６１２のような他の内部回路に高速コネクタ６１４により接続できるフラッシュメモリのようなソリッドステートメモリ装置の形態をとることができる。ここに述べる実施形態では、メモリ装置６１０は、フラッシュメモリチップの単一レイヤの形態をとり、メモリチップの数は、ここに述べる実施形態では、４である。しかしながら、任意の適当な数のメモリチップを使用できることに注意されたい。メモリチップに加えて、１つ以上のコントローラチップも含まれる。メモリ装置６１０は、接点又はピン６１５をコネクタ６１４へスライドさせ、次いで、開口６１７を通して固定具を使用してメモリ装置６１０を固定することにより、コネクタ６１４にマウントされる。このように、メモリ装置６１０の減少Ｚスタックは、従来構成のソリッドステートメモリ装置では使用できないスペースを使用できるようにすることで全体的なシステム一体性を改善することができる。例えば、メモリ装置６１０の横方向スタック配列体をシステムメモリの上のスペース（図示せず）に適合させることができる。ある実施形態では、メモリ装置６１０は、メモリ装置６１０の両側にメモリチップをマウントできる両面構成をもつことができる。この構成は、図１２に示す特定の実施形態より利用可能なスペースが若干広いコンピューティングシステムに良く適している。
【００４９】
図２１ａ−２１ｄは、ここに述べる実施形態によるＳＳＤメモリモジュール６１０を示す各々斜視図、側面図、底面図及び頂面図である。上述したように、ＳＳＤメモリモジュール６１０は、片側にメモリチップ６１１を含み、一方、他の実施形態では、メモリチップをＳＳＤメモリモジュール６１０の両側に配置することができる。この場合にも、１つ以上のコントローラチップ６１３を使用することができ、又、カード６１は、１つ以上の絶縁体領域６１９を含むこともできる。ここに示す実施形態では、ＳＳＤメモリモジュール６１０は、ＳＳＤメモリモジュール６１０のアクティブなコンポーネントが横方向形態で配列される「棒状ガム(stick of gum)」構成で配列される。このように、ＳＳＤメモリモジュール６１０は、低Ｚスタックを有し、それ故、従来構成のソリッドステートメモリでは得られないエリアにおいてポータブルコンピューティング装置１００内に配置することができる。特に、コンポーネントの数を最小にしそしてスペース効率の良い仕方でコンポーネントを配置すると、ＳＳＤメモリモジュール６１０は、ＣＰＵメモリの真上の領域に収容されて、コンポーネントパッキング密度の高い領域を形成することができる。
【００５０】
このような高速度ＳＳＤメモリモジュール６１０には種々様々な形状、サイズ及び寸法を使用できるが、種々の特定の寸法は、図１２及び２１ａ−２１ｄに示す特定例に関する状況を与える。例えば、メモリモジュール又はカード６１０は、（接点／ピンを含む）全長が約１０８−１１０ｍｍで、巾が約２３−２５ｍｍで、ボード厚みが約０．６−０．８ｍｍである。より詳細には、メモリモジュール又はカード６１０は、その全長が約１０８．９ｍｍで、巾が約２４ｍｍで、ボード厚みが約０．７ｍｍである。ボードに配置されるメモリチップ又は他のコンポーネントの最大厚みは、カードのほとんどの位置で約１．４ｍｍであるが、ボードの縁付近では減少された最大厚みが適用される。全ての位置におけるモジュールの最大合成厚みは、約２．２ｍｍである。開口６１７は、直径約６ｍｍの半円形である。
【００５１】
次いで、図２２ａに進むと、メモリチップを両側に有する別のＳＳＤメモリモジュールが側面図で示されている。ＳＳＤメモリモジュール又はカード６１０ａは、前記カード６１０と実質的に同様であるが、カードの両面にメモリチップ６１１を含ませることができる。モジュール両面のそのようなメモリチップは、全て、ＳＳＤメモリモジュールの１つの縁に配置された１組の接点又はピン６１５へ送られる。
【００５２】
図２２ｂは、ここに述べる実施形態によるＳＳＤメモリモジュールの接点の拡大図である。この場合も、ＳＳＤメモリモジュール又はカード６１０は、１つ以上の絶縁体領域６１９と、カード面の１つの縁に配置された１組の接点６１５を含む。ある実施形態では、厳密に１８個の接点６１５が使用されるが、所与の用途では、それより多くの又は少ない接点が使用されてもよいことが容易に明らかであろう。ここに示す特定の実施形態では、１８個の接点が、６個の接点より成る第１部分と、１２個の接点より成る第２部分とに分割される。接点のこれら第１及び第２の部分又はグループは、各コネクタへのモジュールの適切な挿入を容易にする上で助けとなるように使用される物理的ギャップ６１５−０によって分離される。例えば、ギャップ６１５−０は、コネクタ構成体内のポスト又は他の物理的ストッパの周りに嵌合するように配置され、メモリモジュール６１０を後ろ向きに挿入しようと試みても成功しないようにされる。
【００５３】
ここに示す特定の実施形態では、接点又はピン６１５の各々は、特定の目的又は機能を有する。例えば、１２個の接点より成る第２部分の底部において第１の接点からスタートして、各接点は、次のような特定の機能を有する。
【表１】
2014500990.tif 000003
他の接点配列及び機能も確かに可能であるが、以上の特定の構成は、ここに開示する特定のポータブルコンピューティングシステムに対して充分に作用すると考えられる。
【００５４】
図２３は、前記ＳＳＤメモリモジュールに使用するための高速コネクタに関する種々の細部を示す上部斜視図である。この図は、含まれた他の図と同様に、例示のためのものであり、本発明の考えられる実施形態又は請求の範囲を限定するものではない。
【００５５】
前記で一般的に述べたコネクタ６１４と同一又は実質的に同様のコネクタ１１００は、絶縁ハウジング１１１０、複数の接点１１２０、及びシールド１１３０を備えている。このコネクタは、プリント回路板にマウントされる。プリント回路板は、マザーボード、メインボード、マルチレイヤボード、又は他の形式のボードである。コネクタ１１００は、カード又はボード、例えば、ドーター又は任意のカード又はボードを受け入れるようにされる。
【００５６】
絶縁ハウジング１１１０は、ドーター又は任意のカードを受け入れるための前面開口１１１２を含む。又、絶縁ハウジング１１１０は、この例では、絶縁ハウジング１１１０の頂面に示された１つ以上の開口１１１４も含む。これらの１つ以上の開口１１１４は、コネクタ１１００にカードが適切に挿入されたことを目で見て又は他の仕方で決定するのに使用される。
【００５７】
この例では、複数の接点１１２０の各々は、第１部分１１２２及び第２部分１１２４を含む。第１部分１１２２は、ハウジング１１１０の前面から離れるように延びる。第１部分１１２２は、プリント回路板上に配置された接点又はパッドに接触するのに使用される。第２部分１１２４は、第１部分とほぼ一線にある。第２部分１１２４は、コネクタ１１００にカードが挿入されたときにカード上の接点に接触される。又、接点１１２０の各々は、以下に述べるように、機械的安定性のための第３部分（図示せず）も含む。
【００５８】
シールド１１３０は、少なくともコネクタ１１００の頂部及び背部をカバーする。シールド１１３０は、接地平面として使用され、カード上の１つ以上の接地接点及びプリント回路板上の１つ以上の接地接点へ接続される。シールド１１３０は、２つ以上の部分に分割される。この特定例では、シールド１１３０は、３つの部分に分割される。シールド１１３０を部分に分割することで、コネクタ１１００にカードが挿入されたときにシールド１１３０が３つ以上の点でカードの接地接点と接触状態になるのを保証することにより、シールド１１３０により与えられる接地を改善する。この特定例では、シールド１１３０の１つ以上の部分１１３２は、シールド１１３０の頂部の下に折り返される。この構成では、コネクタ１１００の開口１１１２にカードが挿入されたとき、シールドの部分１１３２がカードの上面を押し、それにより、１つ以上の接地接点に係合する。又、このアクションは、カード上の接点を接点１１２０の第２部分１１２４へと押して電気的経路を形成する。タブ１１３４がシールド１１３０に配置され、シールド１１３０をプリント回路板の接地点に接続するのに使用される。
【００５９】
本発明の実施形態は、ドーター又は任意のカードとプリント回路板との間に高速経路を有するコネクタを提供する。より詳細には、接点１１２０の第１部分１１２２及び第２部分１１２４は、１つ以上の信号及び電力が送られる短い直接的な経路を形成する。又、これらの経路は、シールド１１３０によってシールドされ、信号のクオリティを改善すると共に、より速いデータレートを許す。シールド１１３０を複数の部分に分割することにより、カード上の接地点とシールド上の接地点との間の接地接続が改善される。
【００６０】
更に、接点１１２０により形成される短い直接的な経路は、コネクタ１１００を低背にすることができる。接点１１２０の第３部分は、機械的安定性を与えるのに使用される。この第３部分は、第１部分１１２２とほぼ一線であり、コネクタ１１００の底部と平行である。
【００６１】
本発明の実施形態は、製造プロセスの信頼性を改善するコネクタを提供する。より詳細には、第１部分１１２２は、表面マウント型接点である。これらの第１部分１１２２は、プリント回路板上のパッド又は接点に半田付けされる。これは、プリント回路板への接点１１２２の半田接続を容易に点検できるようにする。又、開口１１１４は、コネクタ１１００へカードが適切に挿入されたことを保証するための点検を行えるようにする。
【００６２】
図２４は、ここに述べる実施形態によるコネクタ１１００の下部斜視図である。この図は、絶縁ハウジング１１１０、複数の接点１１２０、及びシールド１１３０を含む。絶縁ハウジング１１１０は、タブ１１４０を含む。これらのタブは、プリント回路板上のコネクタ１１００に対する機械的な支持を与えるのに使用される。タブ１３４は、シールド１１３０とプリント回路板上の接地線又は平面との間に電気的接続を形成するのに使用される。種々の実施形態において、ハウジング１１１０は、プラスチック又は他の絶縁材である。接点１１２０は、ステンレススチール、銅、真鍮、アルミニウム又は他の導電性材料である。同様に、シールド１１３０も、ステンレススチール、銅、真鍮、アルミニウム、又は他の導電性材料である。
【００６３】
この特定の例では１８個の接点が示されているが、この場合も、他の数の接点が使用されてもよい。又、第１部分１１２２は、接点１１００の前面から延びるように示されているが、本発明の他の実施形態では、それらが他の方向に延びてもよい。例えば、それらが下方に延びてもよいし、コネクタ１１００の背部に向かって延びてもよい。本発明の他の実施形態では、接点１１２０の第１部分１１２２及び第２部分１１２４は、同じ部分でもよい。更に、シールド１１３０は、特定の構成を有するものとして示されているが、他の構成も考えられる。例えば、シールド１１３０は、複数の部分に分割されないが、本発明の他の実施形態では、シールド１１３０が２つ以上の部分に分割される。又、絶縁ハウジング１１１０の頂部には１つ以上の開口１１１４が示されているが、他の実施形態では、これらの開口が省略されてもよいし、２つより多い又は少ない開口１１４０があってもよいし、開口がどこに設けられてもよい。この場合も、コネクタ１１００は、ドーター又は任意のカードを受け容れ又は受け入れてもよく、添付図面には１つの例が示されている。
【００６４】
図２５は、ここに述べる実施形態によるコネクタに挿入されるドーター又は任意のカードを示す図である。この例は、ドーター又は任意のカード１３６０を受け入れるコネクタ１３００を含む。カード１３６０は、前記で詳細に述べたＳＳＤメモリモジュール６１０又は６１０ａと同じ又は実質的に同様である。カード１３６０がコネクタ１３００に挿入されるとき、カード１３６０の頂部の接点は、シールド１３３０の部分１３３２との電気的接続を形成する。カード１３６０の底部の接点は、接点１３２０の第２部分１３２４との電気的接続を形成する。この場合も、種々の実施形態は、カード１３１０から、コネクタ１３００が存在するプリント回路板への非常に短い信号経路を提供する。より詳細には、信号経路は、接点１３２０の第１部分１３２２及び第２部分１３２４を含む。又、接点１３２０は、第３部分１３２６を含ませることにより機械的安定性も与える。より詳細には、第３部分１３２６は、絶縁ハウジング１３１０へと延びる。この例では、第２部分１３２４及び第３部分１３２６は、絶縁ハウジング１３１０へと延び、一方、第１部分１３２２は、コネクタ１３００の前面から離れるように延びる。接点１３２０の第２部分１３２４及び第３部分１３２６は、第１部分１３２２とほぼ一線である。第３部分１３２６は、コネクタ１３００の底部とほぼ平行に延びる。
【００６５】
図２６は、コネクタの上面図であり、図２７は、図２６のコネクタリセプタクルの線Ｆ−Ｆに沿った断面図である。本発明の一実施形態による接点１３２２及びシールド１３３２が断面図で示されている。図２８は、ここに述べる実施形態によるコネクタの頂部の一部分の、図２６からの詳細領域Ｇを示す。図示されたように、物理的ストッパ１３５０を使用して、接点を複数のグループに分離することができる。又、上述したように、物理的ストッパ１３５０は、関連するメモリカードのギャップ６１５−０と嵌合するように配置され、メモリカードを後ろ向きにコネクタへ挿入できないようにする。
【００６６】
図２９は、ここに述べる実施形態によるコネクタの正面図である。図３０は、ここに述べる実施形態によるコネクタの側面図である。図３１は、ここに述べる実施形態によるコネクタの側面図の、図３０からの詳細領域Ｅを示す。図３２は、ここに述べる実施形態によるコネクタの底面図である。
【００６７】
この場合も、これらの例では、本発明の実施形態が例示されている。これらのコネクタの部分、例えば、絶縁ハウジング１１０、接点１２０、シールド１３０、及びその一部分に関する変更を本発明の実施形態と一貫して行うことができ、そしてその中で、本発明によるコネクタを適切に機能させるために図示された特定の形状、サイズ、配列、又は他の特性をもたせる必要のあるものは皆無であることに注意されたい。
【００６８】
図３３は、ここに述べる実施形態によるプロセスを詳細に示すフローチャートである。プロセス３３００は、３３０２において、少なくとも一方が楔形状である底部ケース及び頂部ケースを設けることにより開始する。３３０４において、底部ケースを頂部ケースに結合し、少なくとも複数の動作コンポーネント及び複数の構造コンポーネントを包囲するためのポータブルコンピューティング装置のベース部分の完全なハウジングを形成する。ベース部分は、１つ以上のユーザ入力コンポーネントがポータブルコンピューティング装置のユーザに対してある角度で提示されるように楔形状を画成し、この楔形状は、頂部ケース又は底部ケースが楔形状である結果である。３３０６において、ベース部分は、ヒンジアッセンブリにより蓋部分に枢着される。ここに述べる実施形態では、蓋部分は、複数のコンポーネントを有し、その少なくとも１つは、ディスプレイである。３３０８において、蓋部分のコンポーネントの少なくとも幾つかは、ヒンジアッセンブリを通して延びる１つ以上の電気導体によりベース部分の動作コンポーネントに電気的に接続される。
【００６９】
以上、本発明を明らかにし理解するために詳細に例示したが、本発明の精神又は本質的な特徴から逸脱せずに、本発明を多数の他の仕方でも実施できることを理解されたい。多数の変更や修正がなされ得るので、本発明は、前記説明に限定されず、特許請求の範囲のみによって限定されるものとする。
【符号の説明】
【００７０】
１００：ポータブルコンピューティングシステム
１０２：ベース部分
１０４：底部ケース
１０６：頂部ケース
１０８：蓋部分
１１０：中空クラッチアッセンブリ
１１１：化粧壁
１１２：インサート
１１４：キーボード
１１６：タッチパッド
１１８：キーパッド
１２０：ディスプレイ
１２２：後部カバー
１２４：ベゼル
１２６：画像捕獲装置
１２８、１３０：データポート
１３２：支持脚
１３６、１３８：開口
１４０、１４４：リセプタクル
１４２：プラットホーム
１４６：マイクロホン
１５０、１５２：開口
１７０：不正防止固定具
１７２：頭部
１７４：整形くぼみ
１７６：ドライバ
１７８：ドライバ部分
６０２：ファンアッセンブリ
６０３、６０５：ステージ
６０４：熱伝達又はサーマルモジュール
６０６：熱パイプ
６０７：後部通気口
６０８：フィンスタック
６１０：メモリ装置
６１２：ＭＬＢ
６１５：ピン
６１４：コネクタ
６１６、６１８：オーディオ回路
６２２：可撓線
６２４：アンテナケーブル
６２６：ケーブルタイ
６２８、６３０：開口
６３２、６３４：ケーブル
６３８：ボード対ボードコネクタ
６４０：ＩＰＤ回路
６５０：ピン
６５２：開口
６５４：コネクタ
６５６：プラスチックフレーム
７００：領域
８００：バッテリアッセンブリ
８０２：バッテリセル
【図１】
2014500990.tif 000007
【図２】
2014500990.tif 000008
【図３】
2014500990.tif 000009
【図４】
2014500990.tif 000010
【図５】
2014500990.tif 000011
【図６】
2014500990.tif 000012
【図７】
2014500990.tif 000013
【図８】
2014500990.tif 000014
【図９ａ】
2014500990.tif 000015
【図９ｂ】
2014500990.tif 000016
【図１０ａ−１０ｂ】
2014500990.tif 000017
【図１０ｃ】
2014500990.tif 000018
【図１１ａ】
2014500990.tif 000019
【図１１ｂ】
2014500990.tif 000020
【図１２】
2014500990.tif 000021
【図１３ａ】
2014500990.tif 000022
【図１３ｂ】
2014500990.tif 000023
【図１３ｃ】
2014500990.tif 000024
【図１３ｄ】
2014500990.tif 000025
【図１４ａ】
2014500990.tif 000026
【図１４ｂ】
2014500990.tif 000027
【図１５】
2014500990.tif 000028
【図１６】
2014500990.tif 000029
【図１７ａ】
2014500990.tif 000030
【図１７ｂ】
2014500990.tif 000031
【図１８】
2014500990.tif 000032
【図１９】
2014500990.tif 000033
【図２０】
2014500990.tif 000034
【図２１ａ】
2014500990.tif 000035
【図２１ｂ】
2014500990.tif 000036
【図２１ｃ】
2014500990.tif 000037
【図２１ｄ】
2014500990.tif 000038
【図２２ａ】
2014500990.tif 000039
【図２２ｂ】
2014500990.tif 000040
【図２３】
2014500990.tif 000041
【図２４】
2014500990.tif 000042
【図２５】
2014500990.tif 000043
【図２６】
2014500990.tif 000044
【図２７】
2014500990.tif 000045
【図２８】
2014500990.tif 000046
【図２９】
2014500990.tif 000047
【図３０】
2014500990.tif 000048
【図３１】
2014500990.tif 000049
【図３２】
2014500990.tif 000050
【図３３】
2014500990.tif 000051
【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
第１端及び該第１端より狭いテーパー付けされた第２端を含む楔型本体を備え、この楔型本体は、傾斜頂面を有し、そしてその楔型本体の全体的形状及び前記傾斜頂面の傾斜に合致する多平面配列で編成された複数の動作コンポーネントを支持し且つ包囲するように構成され、更に、この楔型本体は、１つ以上のユーザ入力コンポーネントをポータブルコンピューティング装置のエンドユーザに対してある角度で提示するように構成され、エンドユーザに対してある角度で提示される前記ユーザ入力コンポーネントは、
複数の押圧可能なキーパッドを有するキーボードを含むキーボードアッセンブリ；
前記テーパー付けされた第２端の付近で、前記楔型本体のタッチパッド開口内及びその付近に位置されたタッチパッドであって、ポータブルコンピューティング装置のエンドユーザからのタッチ入力を受け容れるようにされ且つ前記楔型本体の楔形状を収容する支持構造を有するタッチパッド；
底部カバーであって、前記楔型本体及びその底部カバーが複数の固定具によって互いに固定されて、ポータブルコンピューティング装置の少なくとも一部分に対する完全なハウジングを形成するような底部カバー；及び
視覚コンテンツを提示するように配置されたディスプレイアッセンブリを含む蓋部分、
を含むものである、ポータブルコンピューティング装置。
【請求項２】
前記楔型本体の第１端内に嵌合するサイズ及び形状を有するヒンジアッセンブリを更に備え、そのヒンジアッセンブリは、前記完全なハウジング及び蓋部分を枢着接続するように配置され、１つ以上の電気導体が前記完全なハウジング内の動作コンポーネントの少なくとも幾つかを前記ディスプレイアッセンブリに電気的に接続し、その少なくとも一方は前記ヒンジアッセンブリに支持される、請求項１に記載のポータブルコンピューティング装置。
【請求項３】
前記楔型本体は、その界面縁に谷及び肩が形成され、その肩は、第１の接触面を有する立ち上った部分を含む、請求項１又は２に記載のポータブルコンピューティング装置。
【請求項４】
前記底部カバーは、前記第１の接触面に一部分が接触する第２の接触面と、前記谷の第１壁からギャップにより離間された先縁とを含み、前記第１接触面と第２接触面との間の接触エリアは、ポータブルコンピューティング装置により一般的に画成される水平面とは非平行の平面を画成する、請求項３に記載のポータブルコンピューティング装置。
【請求項５】
前記底部カバーの先縁は、前記谷の底部から離間される、請求項４に記載のポータブルコンピューティング装置。
【請求項６】
前記頂部カバーは、前記第１接触面と第２接触面との間の接触エリアのみにおいて前記底部カバーに直接接触する、請求項５に記載のポータブルコンピューティング装置。
【請求項７】
前記谷は、第１壁、底部及び第２壁を含み、その両壁は、前記底部から立ち上って前記谷を形成し、そして前記第２壁は、前記肩を形成する、請求項６に記載のポータブルコンピューティング装置。
【請求項８】
前記谷及び肩は、界面縁において前記頂部カバーの周囲に形成される、請求項７に記載のポータブルコンピューティング装置。
【請求項９】
前記動作コンポーネントは、少なくとも１つは、ソリッドステートメモリモジュールであり、そのソリッドステートメモリモジュールは、
頂面及び底面を有する基板；及び
前記基板の頂面に直線的に配置された第１の複数のメモリ装置、
を含む請求項１に記載のポータブルコンピューティング装置。
【請求項１０】
前記ソリッドステートモジュールは、更に、
前記基板の底面に直線的に配置された第２の複数のメモリ装置；
前記第１及び第２の複数のメモリ装置に基づいて直線的に配置され且つ前記第１及び第２の複数のメモリ装置にコントロール信号を与えるように配置されたコントローラ；及び
前記基板の１つの縁に沿って配置された１組の接点；
を含み、それら接点は、ポータブルコンピューティング装置のマザーボードに結合された高速コネクタとインターフェイスされ、更に、前記１組の接点は、個別グループ間に位置する物理的ギャップにより少なくとも２つのグループに分離される、請求項９に記載のポータブルコンピューティング装置。
【請求項１１】
前記高速コネクタは、プリント回路板上の対応接点と電気的に接触させるために使用される第１部分と、この第１部分に整列され、前記高速コネクタが前記メモリモジュールとプリント回路板上のコンポーネントとの間に高速通信チャンネルを完成するときに前記メモリモジュールの１組の接点のうちの対応する１つと接触をなすように配置された第２部分とを各々含む複数の接点を備えた、請求項１０に記載のポータブルコンピューティング装置。
【請求項１２】
前記高速コネクタは、更に、前記高速コネクタの少なくとも頂部及び背部を覆うように配置された絶縁シールドであって、前記１組の接点を含むメモリモジュールの少なくとも一部分を受け入れるための前側開口、及び前記１組の接点を含むメモリモジュールの一部分が前記高速コネクタに適切に挿入されたことを目で見て決定するための少なくとも１つの開口を有する絶縁シールドを備え、この絶縁シールドは、それが接地接点に接続されたときに、接地平面として働いて、メモリモジュールと、それに接続されたプリント回路板上のコンポーネントとの間の信号の完全性を改善する、請求項７に記載のポータブルコンピューティング装置。
【請求項１３】
前記１組の接点は、次の特定の順序で信号を搬送する、
【表１】
2014500990.tif 000052
請求項１０に記載のポータブルコンピューティング装置。
【請求項１４】
前記テーパー付けされた第２端の付近で、前記楔型本体のタッチパッド開口内及びその付近に位置されたタッチパッドを更に備えた、請求項１から１３のいずれか１項に記載のポータブルコンピューティング装置。
【国際調査報告】
2014500990.tif 000053
2014500990.tif 000054
2014500990.tif 000055